(57)【要約】      （修正有）【課題】便槽とその上に設置されるボックスを備え、便槽の上に配置されるフロアパネルがボックスの下端に固定された仮設トイレにおいて、便槽とボックスの取り付け、取り外しが、仮設トイレの前後方向から効率よく、かつ容易にできるようにする。【解決手段】便槽１は上面側に上面側係合部１８，１９を有し、フロアパネル２８は下面側に下面側係合部３２，３３を有し、上面側係合部１８，１９と下面側係合部３２，３３は互いに雄雌係合構造をなし、便槽１とボックス２の前後方向の移動によって互いに係合し、係合したとき上下方向及び左右方向の移動が制限され、雄雌係合構造は、例えば、蟻溝と、蟻溝に嵌るほぞからなる蟻溝構造であり、必要に応じて、便槽１とボックス２の前後方向の相対的な移動を規制するロック機構を設ける。【選択図】図１
2016154624.tif 000002
【特許請求の範囲】
【請求項１】
便槽とその上に設置されるボックスを備え、前記便槽の上に配置されるフロアパネルが前記ボックスの下端に固定された仮設トイレにおいて、前記便槽は上面側に上面側係合部を有し、前記フロアパネル又は／及び前記ボックスは下面側に下面側係合部を有し、前記上面側係合部と下面側係合部は互いに雄雌係合構造をなし、前記便槽とボックスの前後方向の移動によって互いに係合し、係合したとき上下方向及び左右方向の移動が制限されることを特徴とする仮設トイレ。
【請求項２】
前記雄雌係合構造が、蟻溝と、前記蟻溝に嵌るほぞからなる蟻溝構造であることを特徴とする請求項１に記載された仮設トイレ。
【請求項３】
前記下面側及び上面側係合部の係合後における前記便槽とボックスの前後方向の相対的な移動を規制するロック機構が設けられていることを特徴とする請求項１又は２に記載された仮設トイレ。
【発明の詳細な説明】
【技術分野】
【０００１】
本発明は、公共の場所、工事現場、イベント会場、パーキング、被災地など、様々な場所に設置される仮設トイレに関し、特に便槽とボックスの脱着が容易に行える仮設トイレに関する。
【背景技術】
【０００２】
特許文献１には、便槽部材Ｅとその上に設置されるハウス部材Ｈを備え、前記ハウス部材Ｈの下端に床部４が固定された仮設トイレが記載されている。前記便槽部材Ｅは上面周辺部に土手部材ｅ７を有し、そのうち左右の（長辺側）土手部材ｅ７ａに凸部ｅ１６が形成され、前記床部４の下面周辺部左右に前記凸部ｅ１６が嵌合するガイド凹部４ａが形成されている。前記ハウス部材Ｈを便槽部材Ｅ上に組み付けるとき、前記凸部ｅ１６をガイド凹部４ａに嵌合させ、前記ハウス部材Ｈを前後方向に移動させると、ハウス部材Ｈは左右にずれることなく、便槽部材Ｅ上の所定位置にもたらすことができる。前記所定位置において、ハウス部材Ｈと便槽部材Ｅはボルト・ナット等の固着具より固定される。
【０００３】
特許文献２には、便槽１とその上に設置されるボックス２及びフロアパネル３を備えた仮設トイレが記載されている。便槽１は上面周辺部の左右に第１フランジ９が形成され、ボックス２（側壁パネル）は下端周辺部に第２フランジ１１が形成され、前記第１フランジ９と第２フランジ１１には締結用の穴１６，１７が形成されている。ボックス２を便槽１上に組み付けるときは、便槽１の上にボックス２を載せ、前記第１フランジ９と第２フランジの穴１６，１７を上下に位置合わせし、ボルト・ナットで便槽１とボックス２を締結する。
【０００４】
特許文献３には、便槽１とその上に設置される個室Ｒ（パネルＰＮ１〜ＰＮ４）を備えた仮設トイレが記載されている。便槽１は上面の左右周辺部に板状部５５が形成され、かつ上面の前後周辺部にナット４３が設置され、前記板状部５５には締結用の穴５７が形成されている。個室Ｒ２を便槽１上に組み付けるときは、便槽１の上に個室Ｒを載せ、前記板状部５５の穴５７及びナット４３を用いて、便槽１と個室Ｒをボルト・ナットで締結する。
【先行技術文献】
【特許文献】
【０００５】
【特許文献１】特開２００６−２５７７９４号公報
【特許文献２】特開２０１４−７９４２１号公報
【特許文献３】特開２０１４−１４７４７９号公報
【発明の概要】
【発明が解決しようとする課題】
【０００６】
仮設トイレは、イベント会場等で使用するときは、便槽とボックスをボルト・ナット（通常、４箇所以上）で締結しているが、レンタルから返却されたときは、ボルト・ナットを外して締結を解除し、便槽とボックスを分離して内部を洗浄する。また、イベント会場に仮設トイレを持ち込んだりなど、多数の仮設トイレを輸送するときは、全体の体積を減らすため、ボルト・ナットを外して締結を解除し、分離した便槽をボックス内に収納して輸送する。このように、便槽にボックスを組み付け又は便槽とボックスを分離する作業は、たびたび必要となるが、そのたびに通常４箇所以上のボルト・ナットの取り付け、取り外しを行う必要があり、作業効率が悪かった。
【０００７】
また、イベント会場等で、多数の仮設トイレを左右に連ねて設置（連棟という）するとき、便槽のみを先に並べてから、ボックスを便槽の上に組み付けることが効率のよい作業の秘訣であるが、隣接する仮設トイレ同士の間隔が狭く設定される場合が多く、仮設トイレの左右側面で便槽とボックスをボルト・ナットで締結することが困難である。このため、便槽とボックスをボルト・ナットで締結せず、便槽の上にボックスを載せただけにする業者が少なくなく、その場合、強風でボックスが転倒する危険がある。なお、便槽とボックスを予めボルト・ナットで締結しておけば、仮設トイレを密接して設置（連棟）できるが、その場合は重量が増え、設置する作業者の負担が大きい。
【０００８】
本発明は、仮設トイレに関わるこのような従来技術の問題点に鑑みてなされたもので、便槽とボックスの組み付け、分離が効率よく、かつ連棟時でも容易にできるようにすることを目的とする。
【課題を解決するための手段】
【０００９】
本発明は、便槽とその上に設置されるボックスを備え、前記便槽の上に配置されるフロアパネルが前記ボックスの下端に固定された仮設トイレにおいて、前記便槽は上面側に上面側係合部を有し、前記フロアパネル又は／及び前記ボックスは下面側に下面側係合部を有し、前記上面側係合部と下面側係合部は互いに雄雌係合構造をなし、前記便槽とボックスの前後方向の移動によって互いに係合し、係合したとき上下方向及び左右方向の移動が制限されることを特徴とする。前記雄雌係合構造は、例えば、蟻溝と、前記蟻溝に嵌るほぞからなる蟻溝構造である。
上記仮設トイレにおいて、前記下面側及び上面側係合部の係合後における前記便槽とボックスの前後方向の相対的な移動を規制するロック機構が設けられていることが望ましい。
なお、本発明において、前はボックスのドア側であり、後はその反対側（ボックスの背面側）である。また、左右方向とは、前後方向に直交する方向である。
【発明の効果】
【００１０】
本発明に係る仮設トイレによれば、便槽の上にボックスを載せて左右の位置を合わせ、便槽の上でボックスを前方側又は後方側に移動する（滑らせる）と、前記下面側係合部と上面側係合部が互いに係合し、雄雌係合構造により両係合部の上下方向及び左右方向の移動が制限され、その結果、便槽とボックスの上下方向及び左右方向への相対的な移動が制限される。従って、あとは必要に応じて、便槽とボックスの前後方向の相対的な移動を規制するのみで、ボックスの組み付けが完了する。
従って、ボックスの組み付け及び分離作業において多数のボルト・ナットを締結・解除する必要がなく、また、仮設トイレの左右の側面で締結・解除作業を行う必要がなくなり、仮設トイレを左右に多数連棟配置する場合でも、作業が極めて簡単、かつ迅速化する。
【図面の簡単な説明】
【００１１】
【図１】本発明に係る仮設トイレのボックスと便槽の側面図である。
【図２】便槽の斜視図である。
【図３】便槽の平面図である。
【図４】フロアパネルの底面斜視図である。
【図５】便槽に形成された上面側係合部とフロアパネルに形成された下面側係合部の雄雌係合構造（蟻溝構造）の断面図である。
【図６】ロック機構の説明図であり、（ａ）はフロアパネルに形成された下面側係合部とその近傍の底面（下面）図、（ｂ）は（ａ）のＡ−Ａ断面図、（ｃ）は便槽に形成された上面側係合部とその近傍の平面図、（ｄ）は（ｃ）のＣ−Ｃ断面図である。
【図７】ロック機構（ロック時）の断面図である。
【発明を実施するための形態】
【００１２】
以下、図１〜図７を参照して、本発明に係る仮設トイレの便槽について説明する。
図１〜図４に示すように、本発明に係る仮設トイレは、便槽１とボックス２、及び図示しない便器等からなる。
便槽１は平面視で略四角形をなし、汚物が収容される本体部（タンク部分）３、本体部３の四隅に形成されたグリップ４、本体部３の左右の側面に形成された２つのグリップ５、及び本体部３の前端に形成された接地バンパー６からなり、プラスチックのブロー成形により一体的に成形される。
【００１３】
便槽１の本体部３は、前方側に一段低くなったステップ７を有し、天面壁８、底面壁９、左右の側面壁１１，１１、正面壁１２、背面壁１３、ステップ天面壁７ａ、ステップ正面壁７ｂ及びステップ側面壁７ｃ、７ｃ等からなる。天面壁８の略中央部に便器穴１４が形成され、天面壁８の後端部に汲み取り穴１５が形成され、背面壁１３に図示しないドレン穴が形成されている。１６は汲み取り穴１４の蓋、１７はドレン穴の蓋である（いずれも図３参照）。
【００１４】
天面壁８の上面前方側に上面側係合部１８が、天面壁８の上面後方側に上面側係合部１９がそれぞれ水平に形成されている。上面側係合部１８は、前方側が開口し後方側が閉じ、かつ前方側の開口（開口部１８ａ）が外広がりとなった蟻溝であり、上面側係合部１９は、前方側及び後方側が開口し、かつ前方側の開口（開口部１９ａ）が外広がりとなった蟻溝である。
天面壁８の上面には凹凸が形成され、上面側係合部１８が形成された前端の凸部２０、上面側係合部１９が形成された後端の凸部２１、中間の凸部２２〜２５はいずれも同じ高さに設定され、凸部２０〜２５に接する凹部もほぼ全体として同じ高さに設定されている。上面側係合部１８，１９はそれぞれ凸部２０，２１に形成され、この例では、上面側開口部１８，１９の底面は前記凹部と実質的に高さに設定されている。
【００１５】
ボックス２は、前面壁（ドアが形成された部分）２６、左右の側面壁（一方の側面壁２７のみ示す）及び背面壁（図示せず）からなり、下端に便槽１の上に配置されるフロアパネル２８が着脱自在に固定されている。ボックス２を構成する各壁及びフロアパネル２８は、いずれもプラスチックの２重壁ブロー成形体からなる。フロアパネル２８の中央部に便槽１の便器穴１４に対応して、穴２９が形成されている。前記背面壁には、水洗用水の水タンク３１が設置されている。
【００１６】
フロアパネル２８の下面は全体としてほぼ平坦であるが、前方側に下面側係合部３２が、後方側に下面側係合部３３がそれぞれ突出して形成されている。下面側係合部３２，３３は、それぞれ前記上面側係合部１８，１９（蟻溝）に嵌るほぞであり、前後方向に所定長さで水平に延び、図５に示すように断面輪郭が略台形状をなし、前記上面側係合部１８，１９と共に雄雌係合構造（蟻溝構造）を構成する。
また、フロアパネルの下面（下面側係合部３２，３３の間）には、凸部３４，３５が突出して形成されている。凸部３４，３５は同じ高さで頂面はいずれも平坦とされている。この例では、下面側係合部３２，３３の高さ（前記凹部からの高さ）が、凸部３４，３５の頂面の高さと実質的に同一に設定されている。
【００１７】
仮設トイレの輸送時等は、便槽１とボックス２は分離されている。イベント会場等で、便槽１の上にボックス２（下端にフロアパネル３が固定されている）を組み付けるときは、ボックス２を便槽１の上（最終的な組み付け位置よりやや前方側の位置）に置き、ボックス２の左右を便槽１の左右にほぼ合わせた状態で、ボックス２を後方側に押して便槽１の上を移動させる（滑らせる）。この移動の過程で、フロアパネル３の下面の凸部３４，３５は、便槽１の上面の凸部２０，２４上を滑って後方側に移動し、次いで凸部３４，３５が凹部３６，３７に落ち込み、下面側係合部３２，３３が上面側係合部１８，１９の外広がりとなった開口部１８ａ，１９ａに落ち込む。続いてボックス２を少し前方に移動させると、下面側係合部３２，３３（ほぞ）が上面側係合部１８，１９（蟻溝）の中に嵌り、次いで下面側係合部３２の先端が上面側係合部１８の閉じた後端１８ｂに当接し、組み付けが完了する。
【００１８】
図５に示すように、下面側係合部３２，３３と上面側係合部１８，１９は、雄雌係合構造（蟻溝構造）を構成しているから、下面側係合部３２，３３は上面側係合部１８，１９により、上下方向及び左右方向への移動が制限され、従って、ボックス２は便槽１上で、上下方向及び左右方向への移動（又は取り外し）が事実上できなくなっている。また、下面側係合部３２，３３及びボックス２の後方側への移動は、上面側係合部１８の後端１８ｂに規制され、同方向へのさらなる移動はできなくなっている。
一方、下面側係合部３２，３３及びボックス２の前方側への移動は許容されている。ただし、この例では下面側係合部３２，３３の前方への移動は凸部２０，２４により制限されており、下面側係合部３２，３３及びボックス２の前方側への移動の許容範囲は大きくない。
【００１９】
必要に応じて、便槽１とボックス２の前後方向への相対的な移動（図１〜５に示す例であれば、ボックス２の前方側への移動）を制限するロック機構を設けることができる。
ロック機構の一例を図６，７を参照して説明する。図６，７に示すロック機構は、図１〜５に示す仮設トイレに適用したものであり、フロアパネル２８の底面（下面）側に突出して設けた凸部３８と、便槽１の天面８（この例では凸部２０）に設けた凹部３９からなる。凸部３８及び凹部３９は、ブロー成形時に一体的に成形できる。ボックス２（フロアパネル３）の下面側係合部３２が便槽１の上面側係合部１８に嵌められ、先端まで差し込まれると、図７に示すように、その時点で凸部３８が凹部３９に嵌り、便槽１とボックス２の相対的な前後方向への移動（特にボックス２の前方側への移動）が制限される。
【００２０】
ロック機構は、上記のように便槽１及びボックス２（フロアパネル３）に一体的に設けたものでなく、別途付設したものでもよい。この種のロック機構としては、例えば、下面側係合部３２，３３又はボックス２（フロアパネル３）の前後方向への移動を制限する係止部材、ボックス２又は／及びフロアパネル３を便槽１に固定するためのボルト・ナット等が考えられる。この種のロック機構は、特に仮設トイレを連棟配置する場合において、組立後の仮設トイレの前方側又は／及び後方側に設置され、かつ操作できるものであることが好ましい。
【００２１】
以上、本発明に係る仮設トイレについて具体的に説明したが、そのほかにも、本発明は例えば次のような実施の形態をとることができる。
（１）上記の例では、上面側係合部を雌側とし、下面側係合部を雄側としたが、これを逆にすることができ、また、上面側及び下面側係合部として、それぞれ雄側及び雌側を混在させることもできる。
（２）上記の例では、下面側係合部３２，３３を、上面側係合部１８，１９に対し前方側から嵌める構造としたが、逆に後方側から嵌める構造にしてもよい。あるいは、前方側及び後方側のどちらからも嵌めることができる構造にしてもよい。
【００２２】
（３）上記の例では、計３組の係合部（上面側係合部と下面側係合部の組合せ）を便槽及びフロアパネルの前方側及び後方側に配置したが、係合部（上面側係合部と下面側係合部の組合せ）の個数は１組以上の個数で任意に設定できる。ただし、便槽及びフロアパネルの前方側及び後方側のそれぞれに１組以上配置することが、係合の安定性の面で好ましい。
（４）上記の例では、上面側係合部は便槽に一体的に（ブロー成形体の一部として、すなわち便槽と単一の部材として）形成され、下面側係合部はフロアパネルに同じく一体的に形成されていたが、上面側及び下面側係合部のいずれか一方又は双方を別部材として、便槽又はフロアパネルに設置するようにしてもよい。前記別部材としては、便槽やフロアパネルとは別に成形した金属製又はプラスチック製のものが利用できる。
（５）上記の例では、下面側係合部はフロアパネルに形成されていたが、ボックスの下面に形成することもでき、又はフロアパネルとボックスの両方の下面に形成することもできる。
【符号の説明】
【００２３】
１  便槽
２  ボックス
１８，１９  上面側係合部
２８  フロアパネル
３２，３３  下面側係合部
【図１】
2016154624.tif 000003
【図２】
2016154624.tif 000004
【図３】
2016154624.tif 000005
【図４】
2016154624.tif 000006
【図５】
2016154624.tif 000007
【図６】
2016154624.tif 000008
【図７】
2016154624.tif 000009